(57)【要約】【課題】伝熱管やフィンの表面で発生した凝縮水が空気中へ飛散してしまうことを抑制できる空気調和装置の室内ユニットを提供する【解決手段】室内熱交換器（40,50,60）のフィン（47,57,67）は、三次元的に連続する骨格（B）を有するとともに、該骨格（B）により三次元的に連続する複数の気孔（H）を形成する三次元網目状構造の多孔質金属で構成される。【選択図】図５
2019027701.tif 000002
【特許請求の範囲】
【請求項１】
ケーシング（20）と、
前記ケーシング（20）に収容され、空気を搬送するファン（30）と、
前記ケーシング（20）に収容され、前記ファン（30）で搬送された空気を冷媒によって冷却可能な少なくとも１つの室内熱交換器（40,50,60）とを備え、
前記室内熱交換器（40,50,60）は、
伝熱管（45,55,65）と、
前記伝熱管（45,55,65）と伝熱可能なフィン（47,57,67）とを有し、
前記フィン（47,57,67）は、三次元的に連続する骨格（B）を有するとともに、該骨格（B）により三次元的に連続する複数の気孔（H）を形成する三次元網目状構造の多孔質金属で構成されることを特徴とする空気調和装置の室内ユニット。
【請求項２】
請求項１において、
前記伝熱管は、隣り合うように配列される複数の扁平管（45,55,65）で構成され、
前記フィン（47,57,67）が、隣り合う各２つの前記扁平管（45,55,65）の間にそれぞれ介設されることを特徴とする空気調和装置の室内ユニット。
【請求項３】
請求項２において、
各扁平管（45,55,65）は、該扁平管（45,55,65）の厚さ方向の両端側の各幅広面（46,56,66）がそれぞれ側方を向くように配列されることを特徴とする空気調和装置の室内ユニット。
【請求項４】
請求項３において、
前記扁平管（45,55,65）は、その管軸が水平面に対して０°より大きく４５°よりも小さい角度θ１をなすように上側に傾斜した傾斜扁平管部（45E,55C）を含み、
前記フィン（47,57,67）は、前記傾斜扁平管部（45E,55C）に対応する傾斜フィン部（47E,57C）を含んでいることを特徴とする空気調和装置の室内ユニット。
【請求項５】
請求項３又は４において、
前記室内熱交換器（40,50,60）で発生した凝縮水を回収するドレンパン（23,24）を備え、
前記扁平管（45,55,65）は、
前記ファン（30）の上方に配置されるファン側扁平管部（81）と、
前記ドレンパン（23,24）の上方に配置されるとともに、ファン側扁平管部（81）の下端に連続するドレンパン側扁平管部（80）とを有し、
前記フィン（47,57,67）は、
前記ファン側扁平管部（81）に対応するファン側フィン部（83）と、
前記ドレンパン側扁平管部（80）に対応するドレンパン側フィン部（82）とを有することを特徴とする空気調和装置の室内ユニット。
【請求項６】
請求項３乃至５のいずれか１つにおいて、
前記ファン（30）は、クロスフロー型に構成され、
前記扁平管（45,55,65）及び前記フィン（47,57,67）は、前記ファン（30）の外周を囲むように略Ｃの字状に湾曲していることを特徴とする空気調和装置の室内ユニット。
【発明の詳細な説明】
【技術分野】
【０００１】
本発明は、空気調和装置の室内ユニットに関する。
【背景技術】
【０００２】
従来より、空気調和装置が広く知られている。
【０００３】
例えば特許文献１の空気調和装置は、壁掛け式の室内ユニットを備えている。室内ユニットのケーシングには、室内熱交換器及びファンが収容される。吸込口からケーシング内に取り込まれた空気は、室内熱交換器を通過する。例えば冷房運転では、室内熱交換器を流れる冷媒が、伝熱管及びフィンを介して空気と熱交換する。この結果、室内熱交換器では、冷媒が蒸発し、空気が冷却される。冷却された空気は、吹出口より室内空間へ供給される。
【０００４】
このような冷房運転において、室内熱交換器により空気が露点温度以下まで冷却されると、伝熱管やフィンの表面で凝縮水（結露水）が発生する。このため、室内熱交換器の下側には、空気中で発生した凝縮水を回収するためのドレンパンが設けられる。
【先行技術文献】
【特許文献】
【０００５】
【特許文献１】特開２０１７−５３５６２号公報
【発明の概要】
【発明が解決しようとする課題】
【０００６】
特許文献１に開示のような室内ユニットでは、ケーシング内のレイアウトの制約上、室内熱交換器の一部をドレンパンの外側に配置したり、この室内熱交換器を水平寄りに傾けて配置したりすることが想定される。ところが、このような配置では、伝熱管やフィンの表面で発生した凝縮水が、ドレンパンに回収されずに空気中へ飛散してしまう可能性がある。
【０００７】
本発明は、このような点に着目してなされたものであり、伝熱管やフィンの表面で発生した凝縮水が空気中へ飛散してしまうことを抑制できる空気調和装置の室内ユニットを提供することである。
【課題を解決するための手段】
【０００８】
第１の発明は、ケーシング（20）と、前記ケーシング（20）に収容され、空気を搬送するファン（30）と、前記ケーシング（20）に収容され、前記ファン（30）で搬送された空気を冷媒によって冷却可能な少なくとも１つの室内熱交換器（40,50,60）とを備え、前記室内熱交換器（40,50,60）は、伝熱管（45,55,65）と、前記伝熱管（45,55,65）と伝熱可能なフィン（47,57,67）とを有し、前記フィン（47,57,67）は、三次元的に連続する骨格（B）を有するとともに、該骨格（B）により三次元的に連通する複数の気孔（H）を形成する三次元網目状構造の多孔質金属で構成されることを特徴とする空気調和装置の室内ユニットである。
【０００９】
第１の発明では、ファン（30）によってケーシング（20）内に取り込まれた空気が、室内熱交換器（40,50,60）を通過する。ここで、本発明のフィン（47,57,67）は、三次元的に連続する骨格（B）を有するとともに、該骨格（B）により三次元的に連続する複数の気孔（H）を形成する三次元網目状構造の多孔質金属で構成される。このため、空気は、連続する複数の気孔（H）を流れ、フィン（47,57,67）の骨格（B）と熱交換し、冷却される。フィン（47,57,67）は、三次元網目状構造であるため、空気とフィン（47,57,67）との間の伝熱面積は比較的大きい。このため、空気の冷却効率が向上する。
【００１０】
一方、空気が気孔（H）を流れる際、フィン（47,57,67）の表面に接触する空気が露点温度以下にまで冷却されると、フィン（47,57,67）表面において凝縮水が発生する。この凝縮水が、骨格（B）を伝ってフィン（47,57,67）の端部に至ると、表面張力により、気孔（H）の内部に保持される。ここで、三次元網目状構造のフィン（47,57,67）では、各気孔（H）の開口縁部に凝縮水との界面（濡れ縁）がそれぞれ形成され、これらの濡れ縁の総長さが凝縮水の保持力に寄与することになる。三次元網目状構造のフィン（47,57,67）では、この濡れ縁の総長さが極めて大きくなるため、凝縮水をフィン（47,57,67）の内部に保持するための十分な保持力を得ることができる。従って、本発明では、凝縮水をフィン（47,57,67）の内部に確実に保持できるため、凝縮水が空気中へ飛散してしまうことを抑制できる。
【００１１】
第２の発明は、第１の発明において、前記伝熱管は、隣り合うように配列される複数の扁平管（45,55,65）で構成され、前記フィン（47,57,67）が、隣り合う各２つの前記扁平管（45,55,65）の間にそれぞれ介設されることを特徴とする空気調和装置の室内ユニットである。
【００１２】
第２の発明では、隣り合う各２つの扁平管（45,55,65）の間に流入した空気が、各フィン（47,57,67）の気孔（H）をそれぞれ流通する。この結果、気孔（H）を流れる空気の熱が、フィン（47,57,67）の骨格（B）及び扁平管（45,55,65）を介して冷媒に伝導する。
【００１３】
本発明では、各フィン（47,57,67）が２つの扁平管（45,55,65）に挟まれる。つまり、フィン（47,57,67）の２つの面が扁平管（45,55,65）によって閉塞される。このため、フィン（47,57,67）の内部で発生した凝縮水が、これらの２つの面から空気中へ飛散してしまうことがない。この結果、凝縮水が空気中へ飛散してしまうことをより確実に抑制できる。
【００１４】
第３の発明は、第２の発明において、各扁平管（45,55,65）は、該扁平管（45,55,65）の厚さ方向の両端側の各幅広面（46,56,66）がそれぞれ側方を向くように配列されることを特徴とする空気調和装置の室内ユニットである。
【００１５】
第３の発明では、扁平管（45,55,65）の厚さ方向の両端側の各幅広面（46,56,66）が、側方を向くように配置される。つまり、扁平管（45,55,65）の各幅広面（46,56,66）は上下を向くように配置されない。仮に、扁平管（45,55,65）の各幅広面（46,56,66）が上下を向くように配置すると、扁平管（45,55,65）の幅広面（46,56,66）の上側に凝縮水が留まってしまい、室内熱交換器（40,50,60）の通風抵抗が増大してしまう可能性がある。これに対し、本発明では、扁平管（45,55,65）の厚さ方向の両端側の各幅広面（46,56,66）が、側方を向いているため、扁平管（45,55,65）の上側に凝縮水が溜まることがほとんどない。そして、この凝縮水は、扁平管（45,55,65）の幅広面（46,56,66）に沿うようにして下方へ流れ落ちていく。従って、扁平管（45,55,65）の上側に凝縮水が溜まることに起因する通風抵抗の増大を確実に防止できる。
【００１６】
第４の発明は、第３の発明において、前記扁平管（45,55,65）は、その管軸が水平面に対して０°より大きく４５°よりも小さい角度θ１をなすように上側に傾斜した傾斜扁平管部（45E,55C）を含み、前記フィン（47,57,67）は、前記傾斜扁平管部（45E,55C）に対応する傾斜フィン部（47E,57C）を含んでいることを特徴とする空気調和装置の室内ユニットである。
【００１７】
第４の発明では、扁平管（45,55,65）の少なくとも一部が扁平管傾斜部（45E,55C）を有し、フィン（47,57,67）の少なくとも一部が扁平管傾斜部（45E,55C）に対応するフィン傾斜部（47E,57C）を有する。扁平管傾斜部（45E,55C）の管軸は、水平面に対して０°より大きく４５°よりも小さい。即ち、扁平管傾斜部（45E,55C）及びフィン傾斜部（47E,57C）は、水平に近い姿勢となる。従って、傾斜角度が４５°以上の場合の熱交換器に対して同一高さでの熱交換器の通過面積を大きく確保できる、あるいは室内熱交換器（40,50,60）のレイアウトの自由度が向上する。この結果、室内ユニットのスペースを最大限に有効活用した熱交換器（40,50,60）の設置を図ることができる。
【００１８】
一方、従来例の伝熱管及びフィンの少なくとも一部を水平に近い姿勢とすると、フィンを通過する際に発生した凝縮水が下方へ飛散し易くなる。これに対し、本発明の三次元網目状構造のフィン（47,57,67）は、上述の如く、その内部に凝縮水を保持できるため、フィン傾斜部（47E,57C）で発生した凝縮水が下方へ飛散することを抑制できる。従って、室内ユニットのコンパクト化を図りつつ、凝縮水の飛散を防止できる。
【００１９】
第５の発明は、第３又は４の発明において、前記室内熱交換器（40,50,60）で発生した凝縮水を回収するドレンパン（23,24）を備え、前記扁平管（45,55,65）は、前記ファン（30）の上方に配置されるファン側扁平管部（81）と、前記ドレンパン（23,24）の上方に配置されるとともに、ファン側扁平管部（81）の下端に連続するドレンパン側扁平管部（80）とを有し、前記フィン（47,57,67）は、前記ファン側扁平管部（81）に対応するファン側フィン部（83）と、前記ドレンパン側扁平管部（80）に対応するドレンパン側フィン部（82）とを有することを特徴とする空気調和装置の室内ユニットである。
【００２０】
第５の発明では、ファン（30）の上方にファン側扁平管部（81）及びファン側フィン部（83）が配置される。ファン側フィン部（83）は、三次元網目状構造であり、その内部に凝縮水を保持できる。従って、ファン側フィン部（83）で発生した凝縮水が、ファン（30）側に飛散され、室内空間へ運ばれてしまうことを回避できる。
【００２１】
ファン側フィン部（83）で発生した凝縮水は、ファン側扁平管部（81）の下端まで流れ落ちた後、ドレンパン側扁平管部（80）及びドレンパン側フィン部（82）へ運ばれる。ドレンパン側扁平管部（80）及びドレンパン側フィン部（82）の下側にはドレンパン（23,24）が配置される。このため、ドレンパン側フィン部（82）側へ運ばれた凝縮水をドレンパン（23,24）の内部に回収できる。
【００２２】
第６の発明は、第３乃至５の発明のいずれか１つにおいて、前記ファン（30）は、クロスフロー型に構成され、前記扁平管（45,55,65）及び前記フィン（47,57,67）は、前記ファン（30）の外周を囲むように略Ｃの字状に湾曲していることを特徴とする空気調和装置の室内ユニットである。
【００２３】
第６の発明では、扁平管（45,55,65）及びフィン（47,57,67）が略Ｃの字状に形成され、ファン（30）の外周を囲むように配置される。このような配置にすると、ファン（30）と室内熱交換器（40,50,60）との間のクリアランスを、ファン（30）の周方向に亘って十分に確保でき、騒音や圧力損失を低減できる。また、ファン（30）と室内熱交換器（40,50,60）との間に形成されるデッドスペースを最小化でき、室内ユニットのコンパクト化を図ることができる。
【００２４】
一方、従来例の扁平管及びフィンを略Ｃの字状に形成すると、特に水平な姿勢に近い部分において、凝縮水が下方に飛散し易くなる。これに対し、本発明の三次元網目状構造のフィン（47,57,67）は、上述の如く、その内部に凝縮水を保持できるため、水平な姿勢に近い部分で発生した凝縮水が下方へ飛散することを抑制できる。従って、室内ユニットのコンパクト化を図りつつ、凝縮水の飛散を防止できる。
【発明の効果】
【００２５】
本発明によれば、三次元網目状構造の多孔質金属からなるフィン（47,57,67）の内部に凝縮水を確実に保持できる。このため、凝縮水が空気中へ飛散してしまうことを回避できる。このようにして、凝縮水の飛散を回避できると、室内熱交換器（40,50,60）のレイアウトの自由度が向上する。このため、室内ユニットのコンパクト化を図ることができる。
【図面の簡単な説明】
【００２６】
【図１】図１は、実施形態に係る室内ユニットの内部構造を示す概略構成図である。
【図２】図２は、第１室内熱交換器及び第２室内熱交換器の斜視図である。
【図３】図３は、第１室内熱交換器の正面図である。
【図４】図４は、第１室内熱交換器の要部における扁平管の軸直角断面図であり、多孔質フィンの内部構造を模式的に表している。
【図５】図５は、室内ユニットの内部構造を示す概略構成図であり、第１室内熱交換器及び第２室内熱交換器の詳細な構成を説明するための図である。
【図６】図６は、変形例１に係る図４の相当する図である。
【発明を実施するための形態】
【００２７】
以下、本発明の実施形態について図面を参照しながら説明する。なお、以下の実施形態は、本質的に好ましい例示であって、本発明、その適用物、あるいはその用途の範囲を制限することを意図するものではない。
【００２８】
〈全体構成〉
本発明に係る空気調和装置（1）は、室内の温度を調節する。空気調和装置（1）は、冷房運転と暖房運転とを切り換えて行う。空気調和装置（1）は、室外ユニット（図示省略）と、室内ユニット（10）とを備える。空気調和装置（1）では、室外ユニットと室内ユニット（10）とが連絡配管で接続され、冷媒回路が構成される。冷媒回路では、充填された冷媒が循環することで、蒸気圧縮式の冷凍サイクルが行われる。
【００２９】
図１に示すように、本実施形態の空気調和装置（1）の室内ユニット（10）は、壁面（W）に設けられる壁掛け式である。本実施形態の室内ユニット（10）は、ケーシング（20）と、エアフィルタ（28）と、ファン（30）と、第１室内熱交換器（40）と、第２室内熱交換器（50）とを備えている。エアフィルタ（28）、ファン（30）、第１室内熱交換器（40）、及び第２室内熱交換器（50）は、ケーシング（20）の内部に収容される。
【００３０】
〈ケーシング〉
ケーシング（20）は、左右に横長の中空箱状に形成される。ケーシング（20）は、本体部（21）と、該本体部（21）の上側に設けられるカバー（25）とを有する。
【００３１】
本体部（21）の後方寄りには、吹出口（22）が貫通して形成される。吹出口（22）は、ケーシング（20）の内部と室内空間とを連通させる。
【００３２】
本体部（21）の上面には、第１ドレンパン（23）と第２ドレンパン（24）とが形成される。第１ドレンパン（23）は、吹出口（22）の前側（図１の左側）に配置される。第２ドレンパン（24）は、吹出口（22）の後側（図１の右側）に配置される。第１ドレンパン（23）及び第２ドレンパン（24）は、上側が開放される皿状に形成される。第１ドレンパン（23）は、第１室内熱交換器（40）の下側に位置し、第１室内熱交換器（40）で発生した凝縮水を回収する。第２ドレンパン（24）は、第２室内熱交換器（50）の下側に位置し、第２室内熱交換器（50）で発生した凝縮水を回収する。
【００３３】
カバー（25）は、本体部（21）の上部に着脱可能に取り付けられる。カバー（25）には、複数の吸込口（図示省略）が形成される。吸込口は、室内空間とケーシング（20）の内部とを連通させる。
【００３４】
〈エアフィルタ〉
エアフィルタ（28）は、第１室内熱交換器（40）及び第２室内熱交換器（50）の上側に設けられる。エアフィルタ（28）は、第１室内熱交換器（40）及び第２室内熱交換器（50）の上流側の空気中に含まれる塵埃を捕捉する。エアフィルタ（28）は、上方に向かって膨出する曲面状に形成される。即ち、エアフィルタ（28）は、下側に開放する略Ｕの字状ないし略Ｃの字状に形成される。
【００３５】
〈ファン〉
ファン（30）は、ケーシング（20）内に取り込んだ空気を搬送する。本実施形態のファン（30）は、ケーシング（20）の左右方向に延びるクロスフロー型で構成される。ファン（30）は、吹出口（22）の流入端付近であって、第１ドレンパン（23）と第２ドレンパン（24）との間に配置される。ファン（30）の風上側の略半分は、吹出口（22）の外部に露出している。
【００３６】
〈室内熱交換器の概要〉
図１に示すように、第１室内熱交換器（40）及び第２室内熱交換器（50）は、全体として、ファン（30）を囲むように配置される。第１室内熱交換器（40）は、ファン（30）の前側から上側に亘って配設され、第２室内熱交換器（50）は、ファン（30）の後側から上側に亘って配設される。
【００３７】
第１室内熱交換器（40）では、カバー（25）側を向く全体の領域が第１流入面（41）を構成し、ファン（30）側を向く全体の領域が第１流出面（42）を構成している。第２室内熱交換器（50）では、カバー（25）側を向く全体の領域が第２流入面（51）を構成し、ファン（30）側を向く全体の領域が第２流出面（52）を構成する。
【００３８】
〈第１室内熱交換器の全体構成〉
図２及び図３に示すように、第１室内熱交換器（40）は、１つの第１上部ヘッダ集合管（43）、１つの第１下部ヘッダ集合管（44）、複数の第１扁平管（45）、及び複数の第１多孔質フィン（47）を備えている。
【００３９】
第１上部ヘッダ集合管（43）は、第１室内熱交換器（40）の上部に配置される。第１上部ヘッダ集合管（43）は、水平方向に延びる筒状に形成される。第１下部ヘッダ集合管（44）は、第１室内熱交換器（40）の下部に配置される。第１下部ヘッダ集合管（44）は、水平方向に延びる筒状に形成される。
【００４０】
複数の第１扁平管（45）は、冷媒が流れるとともに、該冷媒と空気とを熱交換させる伝熱管を構成している。より厳密には、複数の第１扁平管（45）は、複数の微細な流路（C）が形成される扁平多穴管である（図４を参照）。本実施形態の各第１扁平管（45）は、略Ｃの字状ないし略Ｕの字状に形成される。各第１扁平管（45）は、ファン（30）の外周を囲むように湾曲している。
【００４１】
複数の第１扁平管（45）は、第１上部ヘッダ集合管（43）と第１下部ヘッダ集合管（44）との間に介設される。各第１扁平管（45）には、それらの厚さ方向（左右方向）の両端側にそれぞれ第１幅広面（46）が形成される。複数の第１扁平管（45）は、互いに隣り合うように平行に配列される。複数の第１扁平管（45）は、各第１幅広面（46）が側方（左右）を向くように水平方向に配列される。
【００４２】
各第１扁平管（45）の長手方向の一端（後側の上端部）は、第１上部ヘッダ集合管（43）に接続する。これにより、各第１扁平管（45）と第１上部ヘッダ集合管（43）とが連通する。各第１扁平管（45）の長手方向の他端（前側の下端部）は、第１下部ヘッダ集合管（44）に接続する。これにより、各第１扁平管（45）と第１下部ヘッダ集合管（44）とが連通する。
【００４３】
図３及び図４に示すように、第１多孔質フィン（47）は、隣り合う第１扁平管（45）の間にそれぞれ介設される。第１多孔質フィン（47）は、第１扁平管（45）と接触しており、該第１扁平管（45）ないし冷媒と伝熱する。
【００４４】
各第１多孔質フィン（47）は、第１扁平管（45）の長手方向の一端から他端に亘るように延びている。つまり、各第１多孔質フィン（47）は、第１扁平管（45）に沿うような略Ｃの字状ないしＵの字状に形成される。各第１多孔質フィン（47）は、ファン（30）の外周を囲むように湾曲している。
【００４５】
図４に示すように、第１多孔質フィン（47）は、三次元的に連続する骨格（B）を有するとともに、該骨格（B）により三次元的に連続する複数の気孔（H）を形成する三次元網目状構造の多孔質金属で構成される。本実施形態の第１多孔質フィン（47）の骨格（B）は、アルミニウム又はアルミニウム合金により構成される。
【００４６】
第１多孔質フィン（47）の内部では、多数の気孔（H）が連通することで空気の通風路が構成される。つまり、第１室内熱交換器（40）では、第１流入面（41）から導入された空気が、各第１多孔質フィン（47）の内部の気孔（H）を流れた後、第１流出面（42）を流出する。第１多孔質フィン（47）では、微細な骨格（B）が三次元的に連続することで、伝熱面積の拡大が図られている。
【００４７】
〈第２室内熱交換器の全体構成〉
図２に示すように、第２室内熱交換器（50）は、１つの第２上部ヘッダ集合管（53）、１つの第２下部ヘッダ集合管（54）、複数の第２扁平管（55）、及び複数の第２多孔質フィン（57）を備えている。
【００４８】
第２上部ヘッダ集合管（53）は、第２室内熱交換器（50）の上部に配置される。第２上部ヘッダ集合管（53）は、水平方向に延びる筒状に形成される。第２下部ヘッダ集合管（54）は、第２室内熱交換器（50）の下部に配置される。第２下部ヘッダ集合管（54）は、水平方向に延びる筒状に形成される。
【００４９】
複数の第２扁平管（55）は、冷媒が流れるとともに、該冷媒と空気とを熱交換させる伝熱管を構成している。より厳密には、複数の第２扁平管（55）は、複数の微細な流路（C）が形成される扁平多穴管である（図４と同様）。本実施形態の各第２扁平管（55）は、ファン（30）側に開放する凹状に形成される。
【００５０】
複数の第２扁平管（55）は、第２上部ヘッダ集合管（53）と第２下部ヘッダ集合管（54）との間に介設される。各第２扁平管（55）には、それらの厚さ方向（左右方向）の両端側にそれぞれ第２幅広面（56）が形成される。複数の第２扁平管（55）は、互いに隣り合うように平行に配列される。複数の第２扁平管（55）は、各第２幅広面（56）が側方（左右）を向くように水平方向に配列される。
【００５１】
各第２扁平管（55）の長手方向の一端（前側の上端部）は、第２上部ヘッダ集合管（53）に接続する。これにより、各第２扁平管（55）と第２上部ヘッダ集合管（53）とが連通する。各第２扁平管（55）の長手方向の他端（後側の下端部）は、第２下部ヘッダ集合管（54）に接続される。これにより、各第２扁平管（55）と第２下部ヘッダ集合管（54）とが連通する。
【００５２】
第２多孔質フィン（57）は、隣り合う第２扁平管（55）の間にそれぞれ介設される。第２多孔質フィン（57）は、第２扁平管（55）と接触しており、該第２扁平管（55）ないし冷媒と伝熱する。
【００５３】
各第２多孔質フィン（57）は、第２扁平管（55）の長手方向の一端から他端に亘るように延びている。つまり、各第２多孔質フィン（57）は、第２扁平管（55）に沿うような凹状に形成される。
【００５４】
第２多孔質フィン（57）は、上述した第１多孔質フィン（47）と同様の構成である。
【００５５】
〈第１扁平管の詳細な構成〉
図５に示すように、各第１扁平管（45）は、第１下部ヘッダ集合管（44）から第１上部ヘッダ集合管（43）に向かって順に、第１下側扁平管部（45A）、第１下側曲げ管部（45B）、第１中間扁平管部（45C）、第１上側曲げ管部（45D）、及び第１上側扁平管部（45E）を備えている。即ち、第１下側扁平管部（45A）、第１下側曲げ管部（45B）、第１中間扁平管部（45C）、第１上側曲げ管部（45D）、及び第１上側扁平管部（45E）が一体に連続することで第１扁平管（45）が構成される。第１下側扁平管部（45A）、第１下側曲げ管部（45B）、第１中間扁平管部（45C）、第１上側曲げ管部（45D）は、第１ドレンパン（23）の上方に配置されるドレンパン側扁平管部（80）を構成する。第１上側扁平管部（45E）は、ファン（30）の上方に配置されるファン側扁平管部（81）を構成する。
【００５６】
第１下側扁平管部（45A）は、第１ドレンパン（23）の近傍に配置される。なお、第１下側扁平管部（45A）は、第１ドレンパン（23）の底面と接触してもよい。第１下側扁平管部（45A）は、第１ドレンパン（23）付近から前方上側へと延びている。
【００５７】
第１下側曲げ管部（45B）は、第１下側扁平管部（45A）と第１中間扁平管部（45C）とを繋ぐように湾曲している。第１中間扁平管部（45C）は、カバー（25）の前側部分とファン（30）の間に配置される。第１中間扁平管部（45C）は、概ね垂直方向に延びている。第１上側曲げ管部（45D）は、第１中間扁平管部（45C）と第１上側扁平管部（45E）とを繋ぐように湾曲している。
【００５８】
第１上側扁平管部（45E）は、傾斜扁平管部を構成しており、カバー（25）の頂部とファン（30）の間に配置される。第１上側扁平管部（45E）は、第１上側曲げ管部（45D）から水平よりやや上向きに延びている。具体的には、第１上側扁平管部（45E）は、その管軸が水平面に対して０°より大きく４５°より小さいθ１をなすように、上側に傾斜している。つまり、第１上側扁平管部（45E）は、垂直面よりも水平面に近い姿勢で配設される。
【００５９】
〈第１多孔質フィンの詳細な構成〉
各第１多孔質フィン（47）は、隣り合う各２つの第１扁平管（45）の間に配置される。各第１多孔質フィン（47）は、第１扁平管（45）に対応する形状をしている。具体的には、第１多孔質フィン（47）は、第１下部ヘッダ集合管（44）から第１上部ヘッダ集合管（43）に向かって順に、第１下側フィン部（47A）、第１下側曲げフィン部（47B）、第１中間フィン部（47C）、第１上側曲げフィン部（47D）、及び第１上側フィン部（47E）を備えている。即ち、第１下側フィン部（47A）、第１下側曲げフィン部（47B）、第１中間フィン部（47C）、第１上側曲げフィン部（47D）、及び第１上側フィン部（47E）が一体に連続することで第１多孔質フィン（47）が構成される。第１下側フィン部（47A）、第１下側曲げフィン部（47B）、第１中間フィン部（47C）、及び第１上側フィン部（47E）は、第１ドレンパン（23）の上方に配置されるドレンパン側フィン部（82）を構成する。第１上側扁平管部（45E）は、ファン（30）の上方に配置されるファン側フィン部（83）を構成する。
【００６０】
第１下側フィン部（47A）は、第１下側扁平管部（45A）に対応するように、隣り合う２つの第１下側扁平管部（45A）の間に介設される。なお、第１下側フィン部（47A）は、第１ドレンパン（23）の底面と接触してもよい。
【００６１】
第１下側曲げフィン部（47B）は、第１下側フィン部（47A）と第１中間フィン部（47C）とを繋ぐように湾曲している。第１中間フィン部（47C）は、第１中間扁平管部（45C）に対応するように、隣り合う２つの第１中間扁平管部（45C）の間に介設される。第１上側曲げフィン部（47D）は、第１中間フィン部（47C）と第１上側フィン部（47E）とを繋ぐように湾曲している。
【００６２】
第１上側フィン部（47E）は、傾斜フィン部を構成している。第１上側フィン部（47E）は、第１上側扁平管部（45E）に対応するように、隣り合う２つの第１上側扁平管部（45E）の間に介設される。具体的には、第１上側フィン部（47E）は、その長手方向に延びる中心線が水平面に対して０°より大きく４５°より小さいθ１をなすように、上側に傾斜している。
【００６３】
〈第２扁平管の詳細な構成〉
図５に示すように、各第２扁平管（55）は、第２下部ヘッダ集合管（54）から第２上部ヘッダ集合管（53）に向かって順に、第２下側扁平管部（55A）、第２中間扁平管部（55B）、及び第２上側扁平管部（55C）を備えている。即ち、第２下側扁平管部（55A）、第２中間扁平管部（55B）、及び第２上側扁平管部（55C）が一体に連続することで第２扁平管（55）が構成される。第２下側扁平管部（55A）及び第２中間扁平管部（55B）は、第２ドレンパン（24）の上方に配置されるドレンパン側扁平管部を構成する。第２上側扁平管部（55C）は、ファン（30）の上方に配置されるファン側扁平管部を構成する。
【００６４】
第２下側扁平管部（55A）は、第２ドレンパン（24）の近傍に配置される。なお、第２下側扁平管部（55A）は、第２ドレンパン（24）の底面と接触してもよい。第２下側扁平管部（55A）は、第２ドレンパン（24）付近から前方上側へと延びている。第２中間扁平管部（55B）は、第２下側扁平管部（55A）と第２上側扁平管部（55C）とを繋いでいる。第２中間扁平管部（55B）は、第２下側扁平管部（55A）から更に前方上側へと延びている。
【００６５】
第２上側扁平管部（55C）は、傾斜扁平管部を構成しており、カバー（25）の頂部とファン（30）の間に配置される。第２上側扁平管部（55C）は、第２中間扁平管部（55B）から水平よりやや上向きに延びている。具体的には、第２上側扁平管部（55C）は、その管軸が水平面に対して０°より大きく４５°より小さいθ２をなすように、上側に傾斜している。つまり、第２上側扁平管部（55C）は、垂直面よりも水平面に近い姿勢で配設される。
【００６６】
〈第２多孔質フィンの詳細な構成〉
各第２多孔質フィン（57）は、隣り合う各２つの第２扁平管（55）の間に配置される。各第２多孔質フィン（57）は、第２扁平管（55）に対応する形状をしている。具体的には、第２多孔質フィン（57）は、第２下部ヘッダ集合管（54）から第２上部ヘッダ集合管（53）に向かって順に、第２下側フィン部（57A）、第２中間フィン部（57B）、及び第２上側フィン部（57C）を備えている。即ち、第２下側フィン部（57A）、第２中間フィン部（57B）、及び第２上側フィン部（57C）が一体に連続することで第２多孔質フィン（57）が構成される。第２下側フィン部（57A）及び第２中間フィン部（57B）は、第２ドレンパン（24）の上方に配置されるドレンパン側フィン部（82）を構成する。第２上側フィン部（57C）は、ファン（30）の上方に配置されるファン側フィン部（83）を構成する。
【００６７】
第２下側フィン部（57A）は、第２下側扁平管部（55A）に対応するように、隣り合う２つの第２下側扁平管部（55A）の間に介設される。なお、第２下側フィン部（57A）は、第２ドレンパン（24）の底面と接触してもよい。
【００６８】
第２中間フィン部（57B）は、第２下側フィン部（57A）と第２上側フィン部（57C）とを繋いでいる。第２中間フィン部（57B）は、第２中間扁平管部（55B）に対応するように、隣り合う２つの第２中間扁平管部（55B）の間に介設される。
【００６９】
第２上側フィン部（57C）は、傾斜フィン部を構成している。第２上側フィン部（57C）は、第２上側扁平管部（55C）に対応するように、隣り合う２つの第２上側扁平管部（55C）の間に介設される。具体的には、第２上側フィン部（57C）は、その長手方向に延びる中心線が水平面に対して０°より大きく４５°より小さいθ２をなすように、上側に傾斜している。
【００７０】
−運転動作−
実施形態に係る空気調和装置（1）の運転動作について、図１〜図５を参照しながら説明する。空気調和装置（1）では、冷房運転と暖房運転とが切り換えて行われる。冷房運転では、圧縮機で圧縮された冷媒が、室外熱交換器で凝縮し、各室内熱交換器（60）で蒸発する冷凍サイクルが行われる。
【００７１】
冷房運転において、ファン（30）が作動すると、室内空間の室内空気が吸込口からケーシング（20）の内部に吸い込まれる。この室内空気は、第１室内熱交換器（40）及び第２室内熱交換器（50）を通過する。
【００７２】
室外熱交換器で凝縮した冷媒は、膨張弁で減圧された後、各室内熱交換器（60）へ送られる。具体的には、この冷媒は、例えば第１下部ヘッダ集合管（44）と第２下部ヘッダ集合管（54）とに分流する。第１下部ヘッダ集合管（44）の冷媒は、各第１扁平管（45）に分流した後、第１上部ヘッダ集合管（43）で合流する。この際、各第１扁平管（45）の冷媒は、周囲の空気の熱を奪って蒸発する。同様に、第２下部ヘッダ集合管（54）の冷媒は、各第２扁平管（55）に分流した後、第２上部ヘッダ集合管（53）で合流する。この際、各第２扁平管（55）の冷媒は、周囲の空気の熱を奪って蒸発する。このようにして、各室内熱交換器（60）で蒸発した冷媒は、圧縮機に吸入されて圧縮される。
【００７３】
各室内熱交換器（60）で冷却された空気は、ファン（30）の周囲を流れ、吹出口（22）から室内空間へ供給される。
【００７４】
〈各室内熱交換器の空気の流れ〉
上述した冷房運転における、各室内熱交換器（60）の空気の流れについて、図１〜図５を参照しながら詳細に説明する。
【００７５】
第１室内熱交換器（40）の第１流入面（41）に到達した空気は、各第１扁平管（45）の間に流入する。ここで、各第１扁平管（45）の間には、それぞれ第１多孔質フィン（47）が介設される。このため、各第１扁平管（45）の間に流入した空気は、各第１多孔質フィン（47）の内部の気孔（H）を流れる。
【００７６】
第１多孔質フィン（47）の気孔（H）を空気が流れると、この空気の熱が骨格（B）及び第１扁平管（45）を介して、複数の流路（C）を流れる冷媒へ伝導する。第１多孔質フィン（47）では、微細な骨格（B）が三次元的に連続するため、十分な伝熱面積を確保でき、熱交換効率が向上する。第１多孔質フィン（47）の内部を流れた空気は、第１流出面（42）を通過する。
【００７７】
同様に、第２室内熱交換器（50）の第２流入面（51）に到達した空気は、各第２扁平管（55）の間に流入する。ここで、各第２扁平管（55）の間には、それぞれ第２多孔質フィン（57）が介設される。このため、各第２扁平管（55）の間に流入した空気は、各第２多孔質フィン（57）の内部の気孔（H）を流れる。
【００７８】
第２多孔質フィン（57）の気孔（H）を空気が流れると、この空気の熱が骨格（B）及び第２扁平管（55）を介して、複数の流路（C）を流れる冷媒へ伝導する。第２多孔質フィン（57）では、微細な骨格（B）が三次元的に連続するため、十分な伝熱面積を確保でき、熱交換効率が向上する。第２多孔質フィン（57）の内部を流れた空気は、第２流出面（52）を通過する。
【００７９】
〈凝縮水の飛散防止の作用〉
ところで、上述した冷房運転において、各室内熱交換器（60）で冷却された空気が露点温度以下になると、この空気中から凝縮水が発生することがある。ここで、第１室内熱交換器（40）の一部（第１上側扁平管部（45E）及び第１上側フィン部（47E））は、ファン（30）の上側に位置し、第１ドレンパン（23）に対してファン（30）寄りにシフトしている。このため、仮に第１上側フィン部（47E）が公知のプレートフィンである場合、プレートフィンの表面で発生した凝縮水が、ファン（30）側に向かって飛散し、飛散した水が吹出口（22）を通じて室内空間へ送られてしまう可能性がある。第２室内熱交換器（50）の一部（第２上側扁平管部（55C）及び第２上側フィン部（57C））についても同様である。しかしながら、本実施形態では、各多孔質フィン（47,57）が三次元網目構造の多孔質金属で構成されるため、このような凝縮水の飛散を防止できる。
【００８０】
具体的には、各多孔質フィン（47,57）において、空気が気孔（H）を流れる際、各多孔質フィン（47,57）に接触する空気が露点温度以下にまで冷却されると、各多孔質フィン（47,57）の表面で凝縮水が発生する。この凝縮水が、骨格（B）を伝って各多孔質フィン（47,57）の端部に至ると、表面張力により、気孔（H）の内部に保持される。ここで、三次元網目状構造の多孔質フィン（47,57）では、各気孔（H）の開口縁部に凝縮水との界面（濡れ縁）がそれぞれ形成され、これらの濡れ縁の総長さが凝縮水の保持力に寄与することになる。三次元網目状構造のフィン（47,57,67）では、この濡れ縁の総長さが極めて大きくなるため、凝縮水をフィン（47,57,67）の内部に保持するための十分な保持力を得ることができる。従って、凝縮水を多孔質フィン（47,57）の内部に確実に保持できるため、凝縮水が空気中へ飛散してしまうことを抑制できる。
【００８１】
ここで、例えば第１室内熱交換器（40）の第１上側フィン部（47E）の内部で発生した凝縮水は、ファン（30）側へは落下せず、第１上側扁平管部（45E）に沿うように下側前方へと斜めに流れ落ちていく。つまり、隣り合う各第１上側扁平管部（45E）の間には、凝縮水を第１室内熱交換器（40）の下部へ案内する流路が形成される。
【００８２】
第１上側扁平管部（45E）の下端に到達した凝縮水は、第１上側曲げ管部（45D）、第１中間扁平管部（45C）、第１下側曲げ管部（45B）を順に通過するように、第１多孔質フィン（47）の内部を更に下方へ流れていく。第１下側曲げ管部（45B）から第１下側扁平管部（45A）へ到達した凝縮水は、最終的に第１ドレンパン（23）の内部へ回収される。
【００８３】
同様に、例えば第２室内熱交換器（50）の第２上側フィン部（57C）の内部で発生した凝縮水は、ファン（30）側へは落下せず、第２上側扁平管部（55C）に沿うように下側後方へと斜めに流れ落ちていく。つまり、隣り合う各第２上側扁平管部（55C）の間には、凝縮水を第２室内熱交換器（50）の下部へ案内する流路が形成される。
【００８４】
第２上側扁平管部（55C）の下端に到達した凝縮水は、第２中間扁平管部（55B）及び第２下側扁平管部（55A）を順に流れ、最終的に第２ドレンパン（24）の内部へ回収される。
【００８５】
−実施形態の効果−
上記実施形態では、三次元網目状構造の多孔質フィン（47,57）を用いることで、凝縮水を多孔質フィン（47,57）の内部に確実に保持できる。この結果、凝縮水が空気中へ飛散してしまうことを抑制でき、空気調和装置（1）の信頼性を確保できる。
【００８６】
上記実施形態では、隣り合う第１扁平管（45）の間に第１多孔質フィン（47）を介設し、隣り合う第２扁平管（55）の間に第２多孔質フィン（57）を介設している。このため、各多孔質フィン（47,57）の両側の側面を各扁平管（45,55）によって閉塞できる。従って、各多孔質フィン（47,57）の内部の凝縮水が、該多孔質フィン（47,57）の両側の側面から空気中へ飛散してしまうことを防止できる。
【００８７】
各扁平管（45,55）は、それらの各幅広面（46,56）が左右を向くように配置される。つまり、各扁平管（45,55）の各幅広面（46,56）は上下を向くように配置されない。仮に、各扁平管（45,55）の各幅広面（46,56）が上下を向くように配置すると、各扁平管（45,55）の各幅広面（46,56）の上側に凝縮水が留まってしまい、各室内熱交換器（40,50）の通風抵抗が増大してしまう可能性がある。これに対し、本実施形態では、各扁平管（45,55）の厚さ方向の両端側の各幅広面（46,56）が、左右を向いているため、各扁平管（45,55）の上側に凝縮水が溜まることがほとんどない。そして、この凝縮水は、各扁平管（45,55）の各幅広面（46,56）に沿うようにして下方へ流れ落ちていく。従って、各扁平管（45,55）の上側に凝縮水が溜まることに起因する通風抵抗の増大を確実に防止できる。
【００８８】
上記実施形態では、第１上側扁平管部（45E）及び第２上側扁平管部（55C）の管軸が、水平面に対して０°より大きく４５°よりも小さい。即ち、第１上側扁平管部（45E）及び第２上側扁平管部（55C）は、水平に近い姿勢となる。これにより、ファン（30）とカバー（25）の間のスペースに、第１上側扁平管部（45E）及び第２上側扁平管部（55C）をコンパクトに配置できる。
【００８９】
一方、第１上側フィン部（47E）の内部で発生した凝縮水は、ファン（30）側へ落下せず、第１扁平管（45）に沿って第１ドレンパン（23）側へ送られる。また、第２上側フィン部（57C）の内部で発生した凝縮水は、ファン（30）側へ落下せず、第２扁平管（55）に沿って第２ドレンパン（24）側へ送られる。従って、第１上側フィン部（47E）の凝縮水が飛散することを抑制するとともに、この部分での通風抵抗の増大も回避できる。同様に、第２上側フィン部（57C）の凝縮水が飛散することを抑制するとともに、この部分での通風抵抗の増大も回避できる。
【００９０】
第１扁平管（45）及び第１多孔質フィン（47）は、略Ｃの字状に形成され、ファン（30）の外周を囲むように配置される。このような配置にすると、ファン（30）と第１室内熱交換器（40）との間のクリアランスを、ファン（30）の周方向に亘って十分に確保でき、騒音や圧力損失を低減できる。
【００９１】
第１扁平管（45）及び第１多孔質フィン（47）は、エアフィルタ（28）に沿うように湾曲するため、エアフィルタ（28）と第１室内熱交換器（40）の間に形成されるデッドスペースを最小化できる。同様に、第２扁平管（55）及び第２多孔質フィン（57）は、エアフィルタ（28）に沿うように湾曲するため、カバー（25）と第２室内熱交換器（50）の間に形成されるデッドスペースを最小化できる。この結果、室内ユニット（10）のスペースを最大限有効活用することができる。
【００９２】
〈変形例〉
図６に示す変形例は、上記実施形態の第１室内熱交換器（40）と第２室内熱交換器（50）とが一体化され、一つの室内熱交換器（60）を構成している。つまり、室内熱交換器（60）では、実施形態に係る第１扁平管（45）と第２扁平管（55）とが連結して１つの扁平管（65）を構成している。また、隣り合う扁平管（65）の間には、複数の多孔質フィン（67）が介設される。変形例においても、第１上側扁平管部（45E）のθ１、及び第２上側扁平管部（55C）のθ２は、それぞれ０°より大きく４５°より小さい範囲である。
【００９３】
第１上側フィン部（47E）で発生した凝縮水は、第１扁平管（45）に沿って下方へ流れ落ち、最終的に第１ドレンパン（23）側へ送られる。第２上側フィン部（57C）で発生した凝縮水は、第２扁平管（55）に沿って下方へ流れ落ち、最終的に第２ドレンパン（24）側へ送られる。
【００９４】
〈その他の実施形態〉
上記実施形態では、複数の扁平管（45,55,65）が側方に配列される。しかし、複数の扁平管（45,55,65）を上下に配列し、隣り合う扁平管（45,55,65）の間に多孔質フィン（47,57,67）を介設してもよい。この場合にも、凝縮水の飛散を多孔質フィン（47,57,67）によって回避できる。
【００９５】
また、室内熱交換器（40,50,60）では、扁平管（45,55,65）に代えて、ストレート管などの他の形状の伝熱管を用いてもよい。この場合にも、隣り合う伝熱管の間に多孔質フィン（47,57,67）を介設することで、凝縮水の飛散を回避できる。
【００９６】
室内ユニットは、壁掛け式でなくてもよく、例えば天井設置式（天井吊り式ないし天井埋込式）であってもよいし、床置き式であってもよい。
【００９７】
ファン（30）は、クロスフロー型でなくてもよく、ターボファンやプロペラファンであってもよい。
【産業上の利用可能性】
【００９８】
本発明は、空気調和装置の室内ユニットについて有用である。
【符号の説明】
【００９９】
１        空気調和装置
１０      室内ユニット
２０      ケーシング
２３      第１ドレンパン
２４      第２ドレンパン
３０      ファン
４０      第１室内熱交換器
４５      第１扁平管（伝熱管）
４５Ｅ    第１上側扁平管部（傾斜扁平管部）
４６      第１幅広面
４７Ｅ    第１上側フィン部（傾斜フィン部）
５０      第２室内熱交換器
５５      第２扁平管（伝熱管）
５５Ｃ    傾斜扁平管部
５６      第２幅広面
５７Ｃ    傾斜フィン部
６０      室内熱交換器
６５      扁平管（伝熱管）
６６      幅広面
８０      ドレンパン側扁平管部
８１      ファン側扁平管部
８２      ドレンパン側フィン部
８３      ファン側フィン部
【図１】
2019027701.tif 000003
【図２】
2019027701.tif 000004
【図３】
2019027701.tif 000005
【図４】
2019027701.tif 000006
【図５】
2019027701.tif 000007
【図６】
2019027701.tif 000008
【手続補正書】
【提出日】平成30年11月9日(2018.11.9)
【手続補正１】
【補正対象書類名】明細書
【補正対象項目名】全文
【補正方法】変更
【補正の内容】
【発明の詳細な説明】
【技術分野】
【０００１】
本発明は、空気調和装置の室内ユニットに関する。
【背景技術】
【０００２】
従来より、空気調和装置が広く知られている。
【０００３】
例えば特許文献１の空気調和装置は、壁掛け式の室内ユニットを備えている。室内ユニットのケーシングには、室内熱交換器及びファンが収容される。吸込口からケーシング内に取り込まれた空気は、室内熱交換器を通過する。例えば冷房運転では、室内熱交換器を流れる冷媒が、伝熱管及びフィンを介して空気と熱交換する。この結果、室内熱交換器では、冷媒が蒸発し、空気が冷却される。冷却された空気は、吹出口より室内空間へ供給される。
【０００４】
このような冷房運転において、室内熱交換器により空気が露点温度以下まで冷却されると、伝熱管やフィンの表面で凝縮水（結露水）が発生する。このため、室内熱交換器の下側には、空気中で発生した凝縮水を回収するためのドレンパンが設けられる。
【先行技術文献】
【特許文献】
【０００５】
【特許文献１】特開２０１７−５３５６２号公報
【発明の概要】
【発明が解決しようとする課題】
【０００６】
特許文献１に開示のような室内ユニットでは、ケーシング内のレイアウトの制約上、室内熱交換器の一部をドレンパンの外側に配置したり、この室内熱交換器を水平寄りに傾けて配置したりすることが想定される。ところが、このような配置では、伝熱管やフィンの表面で発生した凝縮水が、ドレンパンに回収されずに空気中へ飛散してしまう可能性がある。
【０００７】
本発明は、このような点に着目してなされたものであり、伝熱管やフィンの表面で発生した凝縮水が空気中へ飛散してしまうことを抑制できる空気調和装置の室内ユニットを提供することである。
【課題を解決するための手段】
【０００８】
第１の発明は、ケーシング（20）と、前記ケーシング（20）に収容され、空気を搬送するファン（30）と、前記ケーシング（20）に収容され、前記ファン（30）で搬送された空気を冷媒によって冷却可能な少なくとも１つの室内熱交換器（40,50）とを備え、前記室内熱交換器（40,50）は、伝熱管（45,55）と、前記伝熱管（45,55）と伝熱可能なフィン（47,57）とを有し、前記フィン（47,57）は、三次元的に連続する骨格（B）を有するとともに、該骨格（B）により三次元的に連通する複数の気孔（H）を形成する三次元網目状構造の多孔質金属で構成され、前記伝熱管は、隣り合うように配列される複数の扁平管（45,55）で構成され、前記フィン（47,57）が、隣り合う各２つの前記扁平管（45,55）の間にそれぞれ介設され、各扁平管（45,55）は、該扁平管（45,55）の厚さ方向の両端側の各幅広面（46,56）がそれぞれ側方を向くように配列され、前記室内熱交換器は、前記ファン（30）の前側から上側に亘って配設されるとともに、第１の前記複数の扁平管（45）を有する第１室内熱交換器（40）と、前記ファン（30）の後側から上側に亘って配設されるとともに、第２の前記複数の扁平管（55）を有する第２室内熱交換器（50）とを備え、前記第１室内熱交換器（40）の前記複数の第１扁平管（45）は、第１のドレンパン（23）の上側に配置されるドレンパン側扁平管部（80）と、前記第１扁平管（45）の上端に形成され、且つ前記ファン（30）の上側に配置される第１上側扁平管部（45E）とを備え、前記第２室内熱交換器（50）の前記複数の第２扁平管（55）は、第２のドレンパン（25）の上側に配置されるドレンパン側扁平管部（80）と、前記第２扁平管（55）の上端に形成され、且つ前記ファン（30）の上側に配置される第２上側扁平管部（55C）とを備え、前記第１上側扁平管部（45E）は、その管軸が水平面に対して０°より大きく４５°より小さい角度θ１をなすように上側に傾斜し、前記第２上側扁平管部（55C）は、その管軸が水平面に対して０°より大きく４５°より小さい角度θ２をなすように上側に傾斜していることを特徴とする空気調和装置の室内ユニットである。
【０００９】
第１の発明では、ファン（30）によってケーシング（20）内に取り込まれた空気が、室内熱交換器（40,50）を通過する。ここで、本発明のフィン（47,57）は、三次元的に連続する骨格（B）を有するとともに、該骨格（B）により三次元的に連続する複数の気孔（H）を形成する三次元網目状構造の多孔質金属で構成される。このため、空気は、連続する複数の気孔（H）を流れ、フィン（47,57）の骨格（B）と熱交換し、冷却される。フィン（47,57）は、三次元網目状構造であるため、空気とフィン（47,57）との間の伝熱面積は比較的大きい。このため、空気の冷却効率が向上する。
【００１０】
一方、空気が気孔（H）を流れる際、フィン（47,57）の表面に接触する空気が露点温度以下にまで冷却されると、フィン（47,57）表面において凝縮水が発生する。この凝縮水が、骨格（B）を伝ってフィン（47,57）の端部に至ると、表面張力により、気孔（H）の内部に保持される。ここで、三次元網目状構造のフィン（47,57）では、各気孔（H）の開口縁部に凝縮水との界面（濡れ縁）がそれぞれ形成され、これらの濡れ縁の総長さが凝縮水の保持力に寄与することになる。三次元網目状構造のフィン（47,57）では、この濡れ縁の総長さが極めて大きくなるため、凝縮水をフィン（47,57）の内部に保持するための十分な保持力を得ることができる。従って、本発明では、凝縮水をフィン（47,57）の内部に確実に保持できるため、凝縮水が空気中へ飛散してしまうことを抑制できる。
【００１１】
第１の発明では、隣り合う各２つの扁平管（45,55）の間に流入した空気が、各フィン（47,57）の気孔（H）をそれぞれ流通する。この結果、気孔（H）を流れる空気の熱が、フィン（47,57）の骨格（B）及び扁平管（45,55）を介して冷媒に伝導する。
【００１２】
本発明では、各フィン（47,57）が２つの扁平管（45,55）に挟まれる。つまり、フィン（47,57）の２つの面が扁平管（45,55）によって閉塞される。このため、フィン（47,57）の内部で発生した凝縮水が、これらの２つの面から空気中へ飛散してしまうことがない。この結果、凝縮水が空気中へ飛散してしまうことをより確実に抑制できる。
【００１３】
第１の発明では、扁平管（45,55）の厚さ方向の両端側の各幅広面（46,56）が、側方を向くように配置される。つまり、扁平管（45,55）の各幅広面（46,56）は上下を向くように配置されない。仮に、扁平管（45,55）の各幅広面（46,56）が上下を向くように配置すると、扁平管（45,55）の幅広面（46,56）の上側に凝縮水が留まってしまい、室内熱交換器（40,50）の通風抵抗が増大してしまう可能性がある。これに対し、本発明では、扁平管（45,55）の厚さ方向の両端側の各幅広面（46,56）が、側方を向いているため、扁平管（45,55）の上側に凝縮水が溜まることがほとんどない。そして、この凝縮水は、扁平管（45,55）の幅広面（46,56）に沿うようにして下方へ流れ落ちていく。従って、扁平管（45,55）の上側に凝縮水が溜まることに起因する通風抵抗の増大を確実に防止できる。
【００１４】
第２の発明は、第１の発明において、前記ファン（30）は、クロスフロー型に構成され、前記扁平管（45,55）及び前記フィン（47,57）は、前記ファン（30）の外周を囲むように略Ｃの字状に湾曲していることを特徴とする空気調和装置の室内ユニットである。
【００１５】
第２の発明では、扁平管（45,55）及びフィン（47,57）が略Ｃの字状に形成され、ファン（30）の外周を囲むように配置される。このような配置にすると、ファン（30）と室内熱交換器（40,50）との間のクリアランスを、ファン（30）の周方向に亘って十分に確保でき、騒音や圧力損失を低減できる。また、ファン（30）と室内熱交換器（40,50）との間に形成されるデッドスペースを最小化でき、室内ユニットのコンパクト化を図ることができる。
【００１６】
一方、従来例の扁平管及びフィンを略Ｃの字状に形成すると、特に水平な姿勢に近い部分において、凝縮水が下方に飛散し易くなる。これに対し、本発明の三次元網目状構造のフィン（47,57）は、上述の如く、その内部に凝縮水を保持できるため、水平な姿勢に近い部分で発生した凝縮水が下方へ飛散することを抑制できる。従って、室内ユニットのコンパクト化を図りつつ、凝縮水の飛散を防止できる。
【発明の効果】
【００１７】
本発明によれば、三次元網目状構造の多孔質金属からなるフィン（47,57）の内部に凝縮水を確実に保持できる。このため、凝縮水が空気中へ飛散してしまうことを回避できる。このようにして、凝縮水の飛散を回避できると、室内熱交換器（40,50）のレイアウトの自由度が向上する。このため、室内ユニットのコンパクト化を図ることができる。
【図面の簡単な説明】
【００１８】
【図１】図１は、実施形態に係る室内ユニットの内部構造を示す概略構成図である。
【図２】図２は、第１室内熱交換器及び第２室内熱交換器の斜視図である。
【図３】図３は、第１室内熱交換器の正面図である。
【図４】図４は、第１室内熱交換器の要部における扁平管の軸直角断面図であり、多孔質フィンの内部構造を模式的に表している。
【図５】図５は、室内ユニットの内部構造を示す概略構成図であり、第１室内熱交換器及び第２室内熱交換器の詳細な構成を説明するための図である。
【図６】図６は、参考形態に係る図４の相当する図である。
【発明を実施するための形態】
【００１９】
以下、本発明の実施形態について図面を参照しながら説明する。なお、以下の実施形態は、本質的に好ましい例示であって、本発明、その適用物、あるいはその用途の範囲を制限することを意図するものではない。
【００２０】
〈全体構成〉
本発明に係る空気調和装置（1）は、室内の温度を調節する。空気調和装置（1）は、冷房運転と暖房運転とを切り換えて行う。空気調和装置（1）は、室外ユニット（図示省略）と、室内ユニット（10）とを備える。空気調和装置（1）では、室外ユニットと室内ユニット（10）とが連絡配管で接続され、冷媒回路が構成される。冷媒回路では、充填された冷媒が循環することで、蒸気圧縮式の冷凍サイクルが行われる。
【００２１】
図１に示すように、本実施形態の空気調和装置（1）の室内ユニット（10）は、壁面（W）に設けられる壁掛け式である。本実施形態の室内ユニット（10）は、ケーシング（20）と、エアフィルタ（28）と、ファン（30）と、第１室内熱交換器（40）と、第２室内熱交換器（50）とを備えている。エアフィルタ（28）、ファン（30）、第１室内熱交換器（40）、及び第２室内熱交換器（50）は、ケーシング（20）の内部に収容される。
【００２２】
〈ケーシング〉
ケーシング（20）は、左右に横長の中空箱状に形成される。ケーシング（20）は、本体部（21）と、該本体部（21）の上側に設けられるカバー（25）とを有する。
【００２３】
本体部（21）の後方寄りには、吹出口（22）が貫通して形成される。吹出口（22）は、ケーシング（20）の内部と室内空間とを連通させる。
【００２４】
本体部（21）の上面には、第１ドレンパン（23）と第２ドレンパン（24）とが形成される。第１ドレンパン（23）は、吹出口（22）の前側（図１の左側）に配置される。第２ドレンパン（24）は、吹出口（22）の後側（図１の右側）に配置される。第１ドレンパン（23）及び第２ドレンパン（24）は、上側が開放される皿状に形成される。第１ドレンパン（23）は、第１室内熱交換器（40）の下側に位置し、第１室内熱交換器（40）で発生した凝縮水を回収する。第２ドレンパン（24）は、第２室内熱交換器（50）の下側に位置し、第２室内熱交換器（50）で発生した凝縮水を回収する。
【００２５】
カバー（25）は、本体部（21）の上部に着脱可能に取り付けられる。カバー（25）には、複数の吸込口（図示省略）が形成される。吸込口は、室内空間とケーシング（20）の内部とを連通させる。
【００２６】
〈エアフィルタ〉
エアフィルタ（28）は、第１室内熱交換器（40）及び第２室内熱交換器（50）の上側に設けられる。エアフィルタ（28）は、第１室内熱交換器（40）及び第２室内熱交換器（50）の上流側の空気中に含まれる塵埃を捕捉する。エアフィルタ（28）は、上方に向かって膨出する曲面状に形成される。即ち、エアフィルタ（28）は、下側に開放する略Ｕの字状ないし略Ｃの字状に形成される。
【００２７】
〈ファン〉
ファン（30）は、ケーシング（20）内に取り込んだ空気を搬送する。本実施形態のファン（30）は、ケーシング（20）の左右方向に延びるクロスフロー型で構成される。ファン（30）は、吹出口（22）の流入端付近であって、第１ドレンパン（23）と第２ドレンパン（24）との間に配置される。ファン（30）の風上側の略半分は、吹出口（22）の外部に露出している。
【００２８】
〈室内熱交換器の概要〉
図１に示すように、第１室内熱交換器（40）及び第２室内熱交換器（50）は、全体として、ファン（30）を囲むように配置される。第１室内熱交換器（40）は、ファン（30）の前側から上側に亘って配設され、第２室内熱交換器（50）は、ファン（30）の後側から上側に亘って配設される。
【００２９】
第１室内熱交換器（40）では、カバー（25）側を向く全体の領域が第１流入面（41）を構成し、ファン（30）側を向く全体の領域が第１流出面（42）を構成している。第２室内熱交換器（50）では、カバー（25）側を向く全体の領域が第２流入面（51）を構成し、ファン（30）側を向く全体の領域が第２流出面（52）を構成する。
【００３０】
〈第１室内熱交換器の全体構成〉
図２及び図３に示すように、第１室内熱交換器（40）は、１つの第１上部ヘッダ集合管（43）、１つの第１下部ヘッダ集合管（44）、複数の第１扁平管（45）、及び複数の第１多孔質フィン（47）を備えている。
【００３１】
第１上部ヘッダ集合管（43）は、第１室内熱交換器（40）の上部に配置される。第１上部ヘッダ集合管（43）は、水平方向に延びる筒状に形成される。第１下部ヘッダ集合管（44）は、第１室内熱交換器（40）の下部に配置される。第１下部ヘッダ集合管（44）は、水平方向に延びる筒状に形成される。
【００３２】
複数の第１扁平管（45）は、冷媒が流れるとともに、該冷媒と空気とを熱交換させる伝熱管を構成している。より厳密には、複数の第１扁平管（45）は、複数の微細な流路（C）が形成される扁平多穴管である（図４を参照）。本実施形態の各第１扁平管（45）は、略Ｃの字状ないし略Ｕの字状に形成される。各第１扁平管（45）は、ファン（30）の外周を囲むように湾曲している。
【００３３】
複数の第１扁平管（45）は、第１上部ヘッダ集合管（43）と第１下部ヘッダ集合管（44）との間に介設される。各第１扁平管（45）には、それらの厚さ方向（左右方向）の両端側にそれぞれ第１幅広面（46）が形成される。複数の第１扁平管（45）は、互いに隣り合うように平行に配列される。複数の第１扁平管（45）は、各第１幅広面（46）が側方（左右）を向くように水平方向に配列される。
【００３４】
各第１扁平管（45）の長手方向の一端（後側の上端部）は、第１上部ヘッダ集合管（43）に接続する。これにより、各第１扁平管（45）と第１上部ヘッダ集合管（43）とが連通する。各第１扁平管（45）の長手方向の他端（前側の下端部）は、第１下部ヘッダ集合管（44）に接続する。これにより、各第１扁平管（45）と第１下部ヘッダ集合管（44）とが連通する。
【００３５】
図３及び図４に示すように、第１多孔質フィン（47）は、隣り合う第１扁平管（45）の間にそれぞれ介設される。第１多孔質フィン（47）は、第１扁平管（45）と接触しており、該第１扁平管（45）ないし冷媒と伝熱する。
【００３６】
各第１多孔質フィン（47）は、第１扁平管（45）の長手方向の一端から他端に亘るように延びている。つまり、各第１多孔質フィン（47）は、第１扁平管（45）に沿うような略Ｃの字状ないしＵの字状に形成される。各第１多孔質フィン（47）は、ファン（30）の外周を囲むように湾曲している。
【００３７】
図４に示すように、第１多孔質フィン（47）は、三次元的に連続する骨格（B）を有するとともに、該骨格（B）により三次元的に連続する複数の気孔（H）を形成する三次元網目状構造の多孔質金属で構成される。本実施形態の第１多孔質フィン（47）の骨格（B）は、アルミニウム又はアルミニウム合金により構成される。
【００３８】
第１多孔質フィン（47）の内部では、多数の気孔（H）が連通することで空気の通風路が構成される。つまり、第１室内熱交換器（40）では、第１流入面（41）から導入された空気が、各第１多孔質フィン（47）の内部の気孔（H）を流れた後、第１流出面（42）を流出する。第１多孔質フィン（47）では、微細な骨格（B）が三次元的に連続することで、伝熱面積の拡大が図られている。
【００３９】
〈第２室内熱交換器の全体構成〉
図２に示すように、第２室内熱交換器（50）は、１つの第２上部ヘッダ集合管（53）、１つの第２下部ヘッダ集合管（54）、複数の第２扁平管（55）、及び複数の第２多孔質フィン（57）を備えている。
【００４０】
第２上部ヘッダ集合管（53）は、第２室内熱交換器（50）の上部に配置される。第２上部ヘッダ集合管（53）は、水平方向に延びる筒状に形成される。第２下部ヘッダ集合管（54）は、第２室内熱交換器（50）の下部に配置される。第２下部ヘッダ集合管（54）は、水平方向に延びる筒状に形成される。
【００４１】
複数の第２扁平管（55）は、冷媒が流れるとともに、該冷媒と空気とを熱交換させる伝熱管を構成している。より厳密には、複数の第２扁平管（55）は、複数の微細な流路（C）が形成される扁平多穴管である（図４と同様）。本実施形態の各第２扁平管（55）は、ファン（30）側に開放する凹状に形成される。
【００４２】
複数の第２扁平管（55）は、第２上部ヘッダ集合管（53）と第２下部ヘッダ集合管（54）との間に介設される。各第２扁平管（55）には、それらの厚さ方向（左右方向）の両端側にそれぞれ第２幅広面（56）が形成される。複数の第２扁平管（55）は、互いに隣り合うように平行に配列される。複数の第２扁平管（55）は、各第２幅広面（56）が側方（左右）を向くように水平方向に配列される。
【００４３】
各第２扁平管（55）の長手方向の一端（前側の上端部）は、第２上部ヘッダ集合管（53）に接続する。これにより、各第２扁平管（55）と第２上部ヘッダ集合管（53）とが連通する。各第２扁平管（55）の長手方向の他端（後側の下端部）は、第２下部ヘッダ集合管（54）に接続される。これにより、各第２扁平管（55）と第２下部ヘッダ集合管（54）とが連通する。
【００４４】
第２多孔質フィン（57）は、隣り合う第２扁平管（55）の間にそれぞれ介設される。第２多孔質フィン（57）は、第２扁平管（55）と接触しており、該第２扁平管（55）ないし冷媒と伝熱する。
【００４５】
各第２多孔質フィン（57）は、第２扁平管（55）の長手方向の一端から他端に亘るように延びている。つまり、各第２多孔質フィン（57）は、第２扁平管（55）に沿うような凹状に形成される。
【００４６】
第２多孔質フィン（57）は、上述した第１多孔質フィン（47）と同様の構成である。
【００４７】
〈第１扁平管の詳細な構成〉
図５に示すように、各第１扁平管（45）は、第１下部ヘッダ集合管（44）から第１上部ヘッダ集合管（43）に向かって順に、第１下側扁平管部（45A）、第１下側曲げ管部（45B）、第１中間扁平管部（45C）、第１上側曲げ管部（45D）、及び第１上側扁平管部（45E）を備えている。即ち、第１下側扁平管部（45A）、第１下側曲げ管部（45B）、第１中間扁平管部（45C）、第１上側曲げ管部（45D）、及び第１上側扁平管部（45E）が一体に連続することで第１扁平管（45）が構成される。第１下側扁平管部（45A）、第１下側曲げ管部（45B）、第１中間扁平管部（45C）、第１上側曲げ管部（45D）は、第１ドレンパン（23）の上方に配置されるドレンパン側扁平管部（80）を構成する。第１上側扁平管部（45E）は、ファン（30）の上方に配置されるファン側扁平管部（81）を構成する。
【００４８】
第１下側扁平管部（45A）は、第１ドレンパン（23）の近傍に配置される。なお、第１下側扁平管部（45A）は、第１ドレンパン（23）の底面と接触してもよい。第１下側扁平管部（45A）は、第１ドレンパン（23）付近から前方上側へと延びている。
【００４９】
第１下側曲げ管部（45B）は、第１下側扁平管部（45A）と第１中間扁平管部（45C）とを繋ぐように湾曲している。第１中間扁平管部（45C）は、カバー（25）の前側部分とファン（30）の間に配置される。第１中間扁平管部（45C）は、概ね垂直方向に延びている。第１上側曲げ管部（45D）は、第１中間扁平管部（45C）と第１上側扁平管部（45E）とを繋ぐように湾曲している。
【００５０】
第１上側扁平管部（45E）は、傾斜扁平管部を構成しており、カバー（25）の頂部とファン（30）の間に配置される。第１上側扁平管部（45E）は、第１上側曲げ管部（45D）から水平よりやや上向きに延びている。具体的には、第１上側扁平管部（45E）は、その管軸が水平面に対して０°より大きく４５°より小さいθ１をなすように、上側に傾斜している。つまり、第１上側扁平管部（45E）は、垂直面よりも水平面に近い姿勢で配設される。
【００５１】
〈第１多孔質フィンの詳細な構成〉
各第１多孔質フィン（47）は、隣り合う各２つの第１扁平管（45）の間に配置される。各第１多孔質フィン（47）は、第１扁平管（45）に対応する形状をしている。具体的には、第１多孔質フィン（47）は、第１下部ヘッダ集合管（44）から第１上部ヘッダ集合管（43）に向かって順に、第１下側フィン部（47A）、第１下側曲げフィン部（47B）、第１中間フィン部（47C）、第１上側曲げフィン部（47D）、及び第１上側フィン部（47E）を備えている。即ち、第１下側フィン部（47A）、第１下側曲げフィン部（47B）、第１中間フィン部（47C）、第１上側曲げフィン部（47D）、及び第１上側フィン部（47E）が一体に連続することで第１多孔質フィン（47）が構成される。第１下側フィン部（47A）、第１下側曲げフィン部（47B）、第１中間フィン部（47C）、及び第１上側フィン部（47E）は、第１ドレンパン（23）の上方に配置されるドレンパン側フィン部（82）を構成する。第１上側扁平管部（45E）は、ファン（30）の上方に配置されるファン側フィン部（83）を構成する。
【００５２】
第１下側フィン部（47A）は、第１下側扁平管部（45A）に対応するように、隣り合う２つの第１下側扁平管部（45A）の間に介設される。なお、第１下側フィン部（47A）は、第１ドレンパン（23）の底面と接触してもよい。
【００５３】
第１下側曲げフィン部（47B）は、第１下側フィン部（47A）と第１中間フィン部（47C）とを繋ぐように湾曲している。第１中間フィン部（47C）は、第１中間扁平管部（45C）に対応するように、隣り合う２つの第１中間扁平管部（45C）の間に介設される。第１上側曲げフィン部（47D）は、第１中間フィン部（47C）と第１上側フィン部（47E）とを繋ぐように湾曲している。
【００５４】
第１上側フィン部（47E）は、傾斜フィン部を構成している。第１上側フィン部（47E）は、第１上側扁平管部（45E）に対応するように、隣り合う２つの第１上側扁平管部（45E）の間に介設される。具体的には、第１上側フィン部（47E）は、その長手方向に延びる中心線が水平面に対して０°より大きく４５°より小さいθ１をなすように、上側に傾斜している。
【００５５】
〈第２扁平管の詳細な構成〉
図５に示すように、各第２扁平管（55）は、第２下部ヘッダ集合管（54）から第２上部ヘッダ集合管（53）に向かって順に、第２下側扁平管部（55A）、第２中間扁平管部（55B）、及び第２上側扁平管部（55C）を備えている。即ち、第２下側扁平管部（55A）、第２中間扁平管部（55B）、及び第２上側扁平管部（55C）が一体に連続することで第２扁平管（55）が構成される。第２下側扁平管部（55A）及び第２中間扁平管部（55B）は、第２ドレンパン（24）の上方に配置されるドレンパン側扁平管部を構成する。第２上側扁平管部（55C）は、ファン（30）の上方に配置されるファン側扁平管部を構成する。
【００５６】
第２下側扁平管部（55A）は、第２ドレンパン（24）の近傍に配置される。なお、第２下側扁平管部（55A）は、第２ドレンパン（24）の底面と接触してもよい。第２下側扁平管部（55A）は、第２ドレンパン（24）付近から前方上側へと延びている。第２中間扁平管部（55B）は、第２下側扁平管部（55A）と第２上側扁平管部（55C）とを繋いでいる。第２中間扁平管部（55B）は、第２下側扁平管部（55A）から更に前方上側へと延びている。
【００５７】
第２上側扁平管部（55C）は、傾斜扁平管部を構成しており、カバー（25）の頂部とファン（30）の間に配置される。第２上側扁平管部（55C）は、第２中間扁平管部（55B）から水平よりやや上向きに延びている。具体的には、第２上側扁平管部（55C）は、その管軸が水平面に対して０°より大きく４５°より小さいθ２をなすように、上側に傾斜している。つまり、第２上側扁平管部（55C）は、垂直面よりも水平面に近い姿勢で配設される。
【００５８】
〈第２多孔質フィンの詳細な構成〉
各第２多孔質フィン（57）は、隣り合う各２つの第２扁平管（55）の間に配置される。各第２多孔質フィン（57）は、第２扁平管（55）に対応する形状をしている。具体的には、第２多孔質フィン（57）は、第２下部ヘッダ集合管（54）から第２上部ヘッダ集合管（53）に向かって順に、第２下側フィン部（57A）、第２中間フィン部（57B）、及び第２上側フィン部（57C）を備えている。即ち、第２下側フィン部（57A）、第２中間フィン部（57B）、及び第２上側フィン部（57C）が一体に連続することで第２多孔質フィン（57）が構成される。第２下側フィン部（57A）及び第２中間フィン部（57B）は、第２ドレンパン（24）の上方に配置されるドレンパン側フィン部（82）を構成する。第２上側フィン部（57C）は、ファン（30）の上方に配置されるファン側フィン部（83）を構成する。
【００５９】
第２下側フィン部（57A）は、第２下側扁平管部（55A）に対応するように、隣り合う２つの第２下側扁平管部（55A）の間に介設される。なお、第２下側フィン部（57A）は、第２ドレンパン（24）の底面と接触してもよい。
【００６０】
第２中間フィン部（57B）は、第２下側フィン部（57A）と第２上側フィン部（57C）とを繋いでいる。第２中間フィン部（57B）は、第２中間扁平管部（55B）に対応するように、隣り合う２つの第２中間扁平管部（55B）の間に介設される。
【００６１】
第２上側フィン部（57C）は、傾斜フィン部を構成している。第２上側フィン部（57C）は、第２上側扁平管部（55C）に対応するように、隣り合う２つの第２上側扁平管部（55C）の間に介設される。具体的には、第２上側フィン部（57C）は、その長手方向に延びる中心線が水平面に対して０°より大きく４５°より小さいθ２をなすように、上側に傾斜している。
【００６２】
−運転動作−
実施形態に係る空気調和装置（1）の運転動作について、図１〜図５を参照しながら説明する。空気調和装置（1）では、冷房運転と暖房運転とが切り換えて行われる。冷房運転では、圧縮機で圧縮された冷媒が、室外熱交換器で凝縮し、各室内熱交換器（60）で蒸発する冷凍サイクルが行われる。
【００６３】
冷房運転において、ファン（30）が作動すると、室内空間の室内空気が吸込口からケーシング（20）の内部に吸い込まれる。この室内空気は、第１室内熱交換器（40）及び第２室内熱交換器（50）を通過する。
【００６４】
室外熱交換器で凝縮した冷媒は、膨張弁で減圧された後、各室内熱交換器（60）へ送られる。具体的には、この冷媒は、例えば第１下部ヘッダ集合管（44）と第２下部ヘッダ集合管（54）とに分流する。第１下部ヘッダ集合管（44）の冷媒は、各第１扁平管（45）に分流した後、第１上部ヘッダ集合管（43）で合流する。この際、各第１扁平管（45）の冷媒は、周囲の空気の熱を奪って蒸発する。同様に、第２下部ヘッダ集合管（54）の冷媒は、各第２扁平管（55）に分流した後、第２上部ヘッダ集合管（53）で合流する。この際、各第２扁平管（55）の冷媒は、周囲の空気の熱を奪って蒸発する。このようにして、各室内熱交換器（60）で蒸発した冷媒は、圧縮機に吸入されて圧縮される。
【００６５】
各室内熱交換器（60）で冷却された空気は、ファン（30）の周囲を流れ、吹出口（22）から室内空間へ供給される。
【００６６】
〈各室内熱交換器の空気の流れ〉
上述した冷房運転における、各室内熱交換器（60）の空気の流れについて、図１〜図５を参照しながら詳細に説明する。
【００６７】
第１室内熱交換器（40）の第１流入面（41）に到達した空気は、各第１扁平管（45）の間に流入する。ここで、各第１扁平管（45）の間には、それぞれ第１多孔質フィン（47）が介設される。このため、各第１扁平管（45）の間に流入した空気は、各第１多孔質フィン（47）の内部の気孔（H）を流れる。
【００６８】
第１多孔質フィン（47）の気孔（H）を空気が流れると、この空気の熱が骨格（B）及び第１扁平管（45）を介して、複数の流路（C）を流れる冷媒へ伝導する。第１多孔質フィン（47）では、微細な骨格（B）が三次元的に連続するため、十分な伝熱面積を確保でき、熱交換効率が向上する。第１多孔質フィン（47）の内部を流れた空気は、第１流出面（42）を通過する。
【００６９】
同様に、第２室内熱交換器（50）の第２流入面（51）に到達した空気は、各第２扁平管（55）の間に流入する。ここで、各第２扁平管（55）の間には、それぞれ第２多孔質フィン（57）が介設される。このため、各第２扁平管（55）の間に流入した空気は、各第２多孔質フィン（57）の内部の気孔（H）を流れる。
【００７０】
第２多孔質フィン（57）の気孔（H）を空気が流れると、この空気の熱が骨格（B）及び第２扁平管（55）を介して、複数の流路（C）を流れる冷媒へ伝導する。第２多孔質フィン（57）では、微細な骨格（B）が三次元的に連続するため、十分な伝熱面積を確保でき、熱交換効率が向上する。第２多孔質フィン（57）の内部を流れた空気は、第２流出面（52）を通過する。
【００７１】
〈凝縮水の飛散防止の作用〉
ところで、上述した冷房運転において、各室内熱交換器（60）で冷却された空気が露点温度以下になると、この空気中から凝縮水が発生することがある。ここで、第１室内熱交換器（40）の一部（第１上側扁平管部（45E）及び第１上側フィン部（47E））は、ファン（30）の上側に位置し、第１ドレンパン（23）に対してファン（30）寄りにシフトしている。このため、仮に第１上側フィン部（47E）が公知のプレートフィンである場合、プレートフィンの表面で発生した凝縮水が、ファン（30）側に向かって飛散し、飛散した水が吹出口（22）を通じて室内空間へ送られてしまう可能性がある。第２室内熱交換器（50）の一部（第２上側扁平管部（55C）及び第２上側フィン部（57C））についても同様である。しかしながら、本実施形態では、各多孔質フィン（47,57）が三次元網目構造の多孔質金属で構成されるため、このような凝縮水の飛散を防止できる。
【００７２】
具体的には、各多孔質フィン（47,57）において、空気が気孔（H）を流れる際、各多孔質フィン（47,57）に接触する空気が露点温度以下にまで冷却されると、各多孔質フィン（47,57）の表面で凝縮水が発生する。この凝縮水が、骨格（B）を伝って各多孔質フィン（47,57）の端部に至ると、表面張力により、気孔（H）の内部に保持される。ここで、三次元網目状構造の多孔質フィン（47,57）では、各気孔（H）の開口縁部に凝縮水との界面（濡れ縁）がそれぞれ形成され、これらの濡れ縁の総長さが凝縮水の保持力に寄与することになる。三次元網目状構造のフィン（47,57,67）では、この濡れ縁の総長さが極めて大きくなるため、凝縮水をフィン（47,57,67）の内部に保持するための十分な保持力を得ることができる。従って、凝縮水を多孔質フィン（47,57）の内部に確実に保持できるため、凝縮水が空気中へ飛散してしまうことを抑制できる。
【００７３】
ここで、例えば第１室内熱交換器（40）の第１上側フィン部（47E）の内部で発生した凝縮水は、ファン（30）側へは落下せず、第１上側扁平管部（45E）に沿うように下側前方へと斜めに流れ落ちていく。つまり、隣り合う各第１上側扁平管部（45E）の間には、凝縮水を第１室内熱交換器（40）の下部へ案内する流路が形成される。
【００７４】
第１上側扁平管部（45E）の下端に到達した凝縮水は、第１上側曲げ管部（45D）、第１中間扁平管部（45C）、第１下側曲げ管部（45B）を順に通過するように、第１多孔質フィン（47）の内部を更に下方へ流れていく。第１下側曲げ管部（45B）から第１下側扁平管部（45A）へ到達した凝縮水は、最終的に第１ドレンパン（23）の内部へ回収される。
【００７５】
同様に、例えば第２室内熱交換器（50）の第２上側フィン部（57C）の内部で発生した凝縮水は、ファン（30）側へは落下せず、第２上側扁平管部（55C）に沿うように下側後方へと斜めに流れ落ちていく。つまり、隣り合う各第２上側扁平管部（55C）の間には、凝縮水を第２室内熱交換器（50）の下部へ案内する流路が形成される。
【００７６】
第２上側扁平管部（55C）の下端に到達した凝縮水は、第２中間扁平管部（55B）及び第２下側扁平管部（55A）を順に流れ、最終的に第２ドレンパン（24）の内部へ回収される。
【００７７】
−実施形態の効果−
上記実施形態では、三次元網目状構造の多孔質フィン（47,57）を用いることで、凝縮水を多孔質フィン（47,57）の内部に確実に保持できる。この結果、凝縮水が空気中へ飛散してしまうことを抑制でき、空気調和装置（1）の信頼性を確保できる。
【００７８】
上記実施形態では、隣り合う第１扁平管（45）の間に第１多孔質フィン（47）を介設し、隣り合う第２扁平管（55）の間に第２多孔質フィン（57）を介設している。このため、各多孔質フィン（47,57）の両側の側面を各扁平管（45,55）によって閉塞できる。従って、各多孔質フィン（47,57）の内部の凝縮水が、該多孔質フィン（47,57）の両側の側面から空気中へ飛散してしまうことを防止できる。
【００７９】
各扁平管（45,55）は、それらの各幅広面（46,56）が左右を向くように配置される。つまり、各扁平管（45,55）の各幅広面（46,56）は上下を向くように配置されない。仮に、各扁平管（45,55）の各幅広面（46,56）が上下を向くように配置すると、各扁平管（45,55）の各幅広面（46,56）の上側に凝縮水が留まってしまい、各室内熱交換器（40,50）の通風抵抗が増大してしまう可能性がある。これに対し、本実施形態では、各扁平管（45,55）の厚さ方向の両端側の各幅広面（46,56）が、左右を向いているため、各扁平管（45,55）の上側に凝縮水が溜まることがほとんどない。そして、この凝縮水は、各扁平管（45,55）の各幅広面（46,56）に沿うようにして下方へ流れ落ちていく。従って、各扁平管（45,55）の上側に凝縮水が溜まることに起因する通風抵抗の増大を確実に防止できる。
【００８０】
上記実施形態では、第１上側扁平管部（45E）及び第２上側扁平管部（55C）の管軸が、水平面に対して０°より大きく４５°よりも小さい。即ち、第１上側扁平管部（45E）及び第２上側扁平管部（55C）は、水平に近い姿勢となる。これにより、ファン（30）とカバー（25）の間のスペースに、第１上側扁平管部（45E）及び第２上側扁平管部（55C）をコンパクトに配置できる。
【００８１】
一方、第１上側フィン部（47E）の内部で発生した凝縮水は、ファン（30）側へ落下せず、第１扁平管（45）に沿って第１ドレンパン（23）側へ送られる。また、第２上側フィン部（57C）の内部で発生した凝縮水は、ファン（30）側へ落下せず、第２扁平管（55）に沿って第２ドレンパン（24）側へ送られる。従って、第１上側フィン部（47E）の凝縮水が飛散することを抑制するとともに、この部分での通風抵抗の増大も回避できる。同様に、第２上側フィン部（57C）の凝縮水が飛散することを抑制するとともに、この部分での通風抵抗の増大も回避できる。
【００８２】
第１扁平管（45）及び第１多孔質フィン（47）は、略Ｃの字状に形成され、ファン（30）の外周を囲むように配置される。このような配置にすると、ファン（30）と第１室内熱交換器（40）との間のクリアランスを、ファン（30）の周方向に亘って十分に確保でき、騒音や圧力損失を低減できる。
【００８３】
第１扁平管（45）及び第１多孔質フィン（47）は、エアフィルタ（28）に沿うように湾曲するため、エアフィルタ（28）と第１室内熱交換器（40）の間に形成されるデッドスペースを最小化できる。同様に、第２扁平管（55）及び第２多孔質フィン（57）は、エアフィルタ（28）に沿うように湾曲するため、カバー（25）と第２室内熱交換器（50）の間に形成されるデッドスペースを最小化できる。この結果、室内ユニット（10）のスペースを最大限有効活用することができる。
【００８４】
〈参考形態〉
図６に示す参考形態は、上記実施形態の第１室内熱交換器（40）と第２室内熱交換器（50）とが一体化され、一つの室内熱交換器（60）を構成している。つまり、室内熱交換器（60）では、実施形態に係る第１扁平管（45）と第２扁平管（55）とが連結して１つの扁平管（65）を構成している。また、隣り合う扁平管（65）の間には、複数の多孔質フィン（67）が介設される。変形例においても、第１上側扁平管部（45E）のθ１、及び第２上側扁平管部（55C）のθ２は、それぞれ０°より大きく４５°より小さい範囲である。
【００８５】
第１上側フィン部（47E）で発生した凝縮水は、第１扁平管（45）に沿って下方へ流れ落ち、最終的に第１ドレンパン（23）側へ送られる。第２上側フィン部（57C）で発生した凝縮水は、第２扁平管（55）に沿って下方へ流れ落ち、最終的に第２ドレンパン（24）側へ送られる。
【００８６】
〈その他の実施形態〉
室内ユニットは、壁掛け式でなくてもよく、例えば天井設置式（天井吊り式ないし天井埋込式）であってもよいし、床置き式であってもよい。
【００８７】
ファン（30）は、クロスフロー型でなくてもよく、ターボファンやプロペラファンであってもよい。
【産業上の利用可能性】
【００８８】
本発明は、空気調和装置の室内ユニットについて有用である。
【符号の説明】
【００８９】
１        空気調和装置
１０      室内ユニット
２０      ケーシング
２３      第１ドレンパン
２４      第２ドレンパン
３０      ファン
４０      第１室内熱交換器
４５      第１扁平管（伝熱管）
４５Ｅ    第１上側扁平管部（傾斜扁平管部）
４６      第１幅広面
４７Ｅ    第１上側フィン部（傾斜フィン部）
５０      第２室内熱交換器
５５      第２扁平管（伝熱管）
５５Ｃ    傾斜扁平管部
５６      第２幅広面
５７Ｃ    傾斜フィン部
６０      室内熱交換器
６５      扁平管（伝熱管）
６６      幅広面
８０      ドレンパン側扁平管部
８１      ファン側扁平管部
８２      ドレンパン側フィン部
８３      ファン側フィン部
【手続補正２】
【補正対象書類名】特許請求の範囲
【補正対象項目名】全文
【補正方法】変更
【補正の内容】
【特許請求の範囲】
【請求項１】
ケーシング（20）と、
前記ケーシング（20）に収容され、空気を搬送するファン（30）と、
前記ケーシング（20）に収容され、前記ファン（30）で搬送された空気を冷媒によって冷却可能な少なくとも１つの室内熱交換器（40,50）とを備え、
前記室内熱交換器（40,50）は、
伝熱管（45,55）と、
前記伝熱管（45,55）と伝熱可能なフィン（47,57）とを有し、
前記フィン（47,57）は、三次元的に連続する骨格（B）を有するとともに、該骨格（B）により三次元的に連続する複数の気孔（H）を形成する三次元網目状構造の多孔質金属で構成され、
前記伝熱管は、隣り合うように配列される複数の扁平管（45,55）で構成され、
前記フィン（47,57）が、隣り合う各２つの前記扁平管（45,55）の間にそれぞれ介設され、
各扁平管（45,55）は、該扁平管（45,55）の厚さ方向の両端側の各幅広面（46,56）がそれぞれ側方を向くように配列され、
前記室内熱交換器は、
前記ファン（30）の前側から上側に亘って配設されるとともに、第１の前記複数の扁平管（45）を有する第１室内熱交換器（40）と、
前記ファン（30）の後側から上側に亘って配設されるとともに、第２の前記複数の扁平管（55）を有する第２室内熱交換器（50）とを備え、
前記第１室内熱交換器（40）の前記複数の第１扁平管（45）は、
第１のドレンパン（23）の上側に配置されるドレンパン側扁平管部（80）と、
前記第１扁平管（45）の上端に形成され、且つ前記ファン（30）の上側に配置される第１上側扁平管部（45E）とを備え、
前記第２室内熱交換器（50）の前記複数の第２扁平管（55）は、
第２のドレンパン（25）の上側に配置されるドレンパン側扁平管部（80）と、
前記第２扁平管（55）の上端に形成され、且つ前記ファン（30）の上側に配置される第２上側扁平管部（55C）とを備え、
前記第１上側扁平管部（45E）は、その管軸が水平面に対して０°より大きく４５°より小さい角度θ１をなすように上側に傾斜し、
前記第２上側扁平管部（55C）は、その管軸が水平面に対して０°より大きく４５°より小さい角度θ２をなすように上側に傾斜している
ることを特徴とする空気調和装置の室内ユニット。
【請求項２】
請求項１において、
前記ファン（30）は、クロスフロー型に構成され、
前記扁平管（45,55）及び前記フィン（47,57）は、前記ファン（30）の外周を囲むように略Ｃの字状に湾曲していることを特徴とする空気調和装置の室内ユニット。